(57)【要約】【課題】誤配線の発生の抑制を図ること。【解決手段】信号ケーブル２は、複数の電流センサ８のうち少なくとも１つの電流センサ８と、計測ユニット１との間における信号接続を行う。複数の電流センサ８は、分電盤４内の複数の分岐回路を通過する電流に応じた信号をそれぞれ出力する。信号ケーブル２は、計測ユニット１から電流センサ８までの間において、コネクタ接続により結線される、少なくとも１つの接続点Ｐ１を有する。信号ケーブル２は、接続点Ｐ１の側において、別の信号ケーブル３に対して、色、模様、及び長さのうち少なくとも１つで区別可能に構成されている。【選択図】図１
2019161869.tif 000002
【特許請求の範囲】
【請求項１】
分電盤内の複数の電路を通過する電気に関する物理量に応じた信号をそれぞれ出力する複数のセンサのうち少なくとも１つのセンサと、前記信号に基づいて前記物理量を計測する計測ユニットとの間における信号接続を行う信号ケーブルであって、
当該信号ケーブルは、前記計測ユニットから前記センサまでの間において、コネクタ接続により結線される、少なくとも１つの接続点を有し、
当該信号ケーブルは、前記接続点の側において、前記複数のセンサのうち少なくとも１つの別のセンサと前記計測ユニットとの間における信号接続を行う別の信号ケーブルに対して、色、模様、及び長さのうち少なくとも１つで区別可能に構成されている、
信号ケーブル。
【請求項２】
前記接続点において、前記計測ユニットの側、又は前記センサの側にあるコネクタ部と接続可能なケーブルコネクタを有し、
前記ケーブルコネクタは、前記コネクタ部に対して、同色又は同系色により接続相手として識別可能である、
請求項１に記載の信号ケーブル。
【請求項３】
前記接続点は、複数あり、
複数の前記接続点のうち少なくとも２つ接続点は、色、模様、及び長さのうち少なくとも１つで、互いに区別可能である、
請求項１又は２に記載の信号ケーブル。
【請求項４】
複数の前記接続点の全てが、色、模様、及び長さのうち少なくとも１つで、互いに区別可能である、
請求項３に記載の信号ケーブル。
【請求項５】
当該信号ケーブルは、前記複数のセンサのうち２つ以上のセンサと、前記計測ユニットとの間における信号接続を行うケーブルハーネスであり、
１つの第１接続点と、複数の前記接続点としての複数の第２接続点とを有し、
前記第１接続点では、前記計測ユニットの側とコネクタ接続により結線され、
前記複数の第２接続点では、前記２つ以上のセンサの側と一対一でコネクタ接続により結線され、
前記複数の第２接続点は、互いに異なる色により区別可能であり、かつ、前記第１接続点と同系色である、
請求項４に記載の信号ケーブル。
【請求項６】
当該信号ケーブルは、前記複数のセンサのうち２つ以上のセンサと、前記計測ユニットとの間における信号接続を行う、複数の信号線が束ねられたケーブルハーネスであり、
前記複数の信号線は、互いに異なる長さを有し、かつ、前記複数の電路のうち前記２つ以上のセンサにそれぞれ対応する２つ以上の電路に付与された番号に応じて長さを変えている、
請求項１〜５のいずれか１項に記載の信号ケーブル。
【請求項７】
前記複数の信号線は、前記番号の昇順に長さが順次長くなる、又は短くなる、
請求項６に記載の信号ケーブル。
【請求項８】
前記計測ユニットは、前記分電盤の外部に設置されている、
請求項１〜７のいずれか１項に記載の信号ケーブル。
【請求項９】
当該信号ケーブルは、前記複数のセンサのうち第１グループを構成する２つ以上のセンサと、前記計測ユニットとの間における信号接続を行う第１ハーネスであり、
前記別の信号ケーブルは、前記複数のセンサのうち前記第１グループとは別の第２グループを構成する２つ以上のセンサと、前記計測ユニットとの間における信号接続を行う第２ハーネスであり、
前記第１グループに属するセンサは、前記複数の電路のうち、第１相及び第２相のうちの一方に対応する電路を通過する電気に関する物理量に応じた信号をそれぞれ出力し、
前記第２グループに属するセンサは、前記複数の電路のうち、前記第１相及び前記第２相のうちの他方に対応する電路を通過する電気に関する物理量に応じた信号をそれぞれ出力する、
請求項１〜８のいずれか１項に記載の信号ケーブル。
【請求項１０】
請求項１〜９のいずれか１項に記載の信号ケーブルと、前記別の信号ケーブルと、前記複数のセンサと、前記計測ユニットと、を備えた、
電力計測システム。
【発明の詳細な説明】
【技術分野】
【０００１】
本発明は、一般に、信号ケーブル、及び電力計測システムに関し、より詳細には、センサと計測ユニットとの間における信号接続を行う信号ケーブル、及び当該信号ケーブルを備えた電力計測システムに関する。
【背景技術】
【０００２】
従来例として、特許文献１に記載の配電システムを例示する。この配電システムは、分電盤、電力計測装置、及び、商用交流電源等を備える。分電盤は、主幹ブレーカ、複数の分岐ブレーカ、２組の電流センサ（ＣＴ：Current Transformer）を備える。
【０００３】
２組の電流センサのうち第１の電流センサは、主幹ブレーカと商用交流電源との間の電力線上に設けられ、電力線上の電流を検出し、その検出結果を電力計測装置に出力する。また、２組の電流センサのうち第２の電流センサは、分岐ブレーカから給電対象の負荷への供給電流を検出するために利用され、その検出結果を電力計測装置に出力する。
【先行技術文献】
【特許文献】
【０００４】
【特許文献１】特開２０１４−８７１７３号公報
【発明の概要】
【発明が解決しようとする課題】
【０００５】
ところで、電流センサと電力計測装置（計測ユニット）との間における信号接続を行う信号ケーブルを接続する結線の作業時において、信号ケーブルの数が多いと、誤配線を招く可能性がある。例えば、信号ケーブルのケーブルコネクタを、計測ユニットの側にあるコネクタ部、又は、電流センサの側にあるコネクタ部に接続する際に、接続相手の数が多いと、作業者は、誤って意図しないコネクタ部に接続してしまう可能性がある。特に、特許文献１のように電流センサの数が４つ程度であれば、誤配線の発生は比較的低いが、その数が例えば２０個、３０個となると、誤配線の発生が高くなり得る。
【０００６】
本発明は上記事由に鑑みてなされ、誤配線の発生の抑制を図ることができる信号ケーブル、及び電力計測システムを提供することを目的とする。
【課題を解決するための手段】
【０００７】
本発明の一態様に係る信号ケーブルは、複数のセンサのうち少なくとも１つのセンサと、計測ユニットとの間における信号接続を行う。前記複数のセンサは、分電盤内の複数の電路を通過する電気に関する物理量に応じた信号をそれぞれ出力する。前記計測ユニットは、前記信号に基づいて前記物理量を計測する。当該信号ケーブルは、前記計測ユニットから前記センサまでの間において、コネクタ接続により結線される、少なくとも１つの接続点を有する。当該信号ケーブルは、前記接続点の側において、前記複数のセンサのうち少なくとも１つの別のセンサと前記計測ユニットとの間における信号接続を行う別の信号ケーブルに対して、色、模様、及び長さのうち少なくとも１つで区別可能に構成されている。
【０００８】
本発明の一態様に係る電力計測システムは、上記信号ケーブルと、前記別の信号ケーブルと、前記複数のセンサと、前記計測ユニットと、を備える。
【発明の効果】
【０００９】
本発明は、誤配線の発生の抑制を図ることができる、という利点がある。
【図面の簡単な説明】
【００１０】
【図１】図１は、一実施形態に係る電力計測システムの概略図である。
【図２】図２は、同上の電力計測システム、及び当該電力計測システムが適用される分電盤の概略構成図である。
【図３】図３Ａは、同上の電力計測システムにおける第１ハーネスと第１グループに属する電流センサとの概略図である。図３Ｂは、同上の電力計測システムにおける第２ハーネスと第２グループに属する電流センサとの概略図である。
【図４】図４は、同上の電力計測システムの変形例１の概略図である。
【図５】図５は、同上の電力計測システムの変形例２の概略図である。
【図６】図６は、同上の電力計測システムの変形例３の概略図である。
【図７】図７は、同上の分電盤の変形例の概略図である。
【発明を実施するための形態】
【００１１】
（１）概要
以下の実施形態は、本発明の様々な実施形態の一つに過ぎない。以下の実施形態は、本発明の目的を達成できれば、設計等に応じて種々の変更が可能である。また、以下の実施形態において説明する図１〜図７は、模式的な図であり、図１〜図７中の各構成要素の大きさや厚さそれぞれの比が、必ずしも実際の寸法比を反映しているとは限らない。
【００１２】
本実施形態の電力計測システム１００は、分電盤４（図２参照）に適用されるシステムである。電力計測システム１００は、図１に示すように、２本の信号ケーブル２，３と、複数のセンサと、計測ユニット１と、を備える。
【００１３】
以下では、説明の便宜上、符号「２」が付されている信号ケーブルを、「本実施形態の信号ケーブル」と称し、符号「３」が付されている信号ケーブルを、「別の信号ケーブル」と称する場合もある。ただし、符号「３」が付されている信号ケーブルが「本実施形態の信号ケーブル」であって、符号「２」が付されている信号ケーブルが「別の信号ケーブル」であってもよい。
【００１４】
本実施形態の信号ケーブル２は、複数のセンサのうち少なくとも１つのセンサと、計測ユニット１との間における信号接続を行う。複数のセンサは、分電盤４内の複数の電路を通過する電気に関する物理量に応じた信号をそれぞれ出力する。ここでは、一例として、電気に関する物理量は電流であり、上記センサは電流センサ８であることを想定する。計測ユニット１は、当該信号に基づいて電流（物理量）を計測する。
【００１５】
またここでは、複数の電路が、複数の分岐ブレーカ４２の二次側端子に電気的に接続されて、各種の負荷に繋がっている複数の分岐回路Ｌ１を想定する。しかし、上記の「複数の電路」は、主幹ブレーカ４１の一次側端子に電気的に接続されている主幹回路を含んでもよい。つまり、信号ケーブル２又は信号ケーブル３は、主幹回路に設置される主幹電流センサと計測ユニット１とを信号接続するものであってもよい。
【００１６】
信号ケーブル２は、計測ユニット１から電流センサ８までの間において、コネクタ接続により結線される、少なくとも１つの接続点Ｐ１を有する。本実施形態の信号ケーブル２は、一例として、複数の信号線Ｓ１が束ねられたケーブルハーネス（以下「第１ハーネスＨ１」と呼ぶ）を想定する。したがって、接続点Ｐ１は、複数ある。すなわち、接続点Ｐ１は、計測ユニット１と接続する一端側（上位側）に１つ、複数の電流センサ８と接続する他端側（下位側）に、複数ある。なお、信号ケーブル２は、各電流センサ８から計測ユニット１までの距離が比較的長いとき、中継ハーネスＨ１２（図２参照）を含んでもよく、その場合、信号ケーブル２の途中にも接続点Ｐ１があってもよい。
【００１７】
信号ケーブル２は、接続点Ｐ１の側において、複数の電流センサ８のうち少なくとも１つの別のセンサと計測ユニット１との間における信号接続を行う別の信号ケーブル３に対して、色、模様、及び長さのうち少なくとも１つで区別可能である。ここでは、信号ケーブル３も、一例として、複数の信号線Ｓ２が束ねられたケーブルハーネス（以下「第２ハーネスＨ２」と呼ぶ）を想定する。ここで言う「接続点Ｐ１の側」とは、接続点Ｐ１に相当するケーブルコネクタ２１自体、及び当該ケーブルコネクタ２１近傍の領域も含む。
【００１８】
この構成によれば、信号ケーブル２は、接続点Ｐ１の側において、別の信号ケーブル３に対して、色、模様、及び長さのうち少なくとも１つで区別可能に構成されている。そのため、電流センサ８と計測ユニット１との間における信号接続を行う信号ケーブル２（又は信号ケーブル３）を接続する作業時に、誤配線の発生の抑制を図ることができる。
【００１９】
以下の説明では、色、模様、及び長さといった区別可能な要素をまとめて「区別要素」と呼ぶこともある。
【００２０】
（２）詳細
（２．１）全体構成
以下、本実施形態の電力計測システム１００、及び電力計測システム１００が適用される分電盤４の全体構成について、図１及び図２を参照して詳しく説明する。電力計測システム１００は、上の「（１）概要」の欄で説明した通り、第１ハーネスＨ１（信号ケーブル２）と、第２ハーネスＨ２（信号ケーブル３）と、複数の電流センサ８と、計測ユニット１と、を備えている（図１参照）。
【００２１】
以下では、電力計測システム１００及び分電盤４の上下、左右の方向を、図２に図示されている上下、左右の矢印を用いて規定して説明する。これらの矢印は、単に説明を補助する目的で記載しているに過ぎず、実体を伴わない。これらの方向は、電力計測システム１００及び分電盤４の使用方向を限定する趣旨ではない。
【００２２】
（２．２）分電盤
分電盤４は、図２に示すように、主幹ブレーカ４１、複数（ここでは１９個）の分岐ブレーカ４２、電流制限器４４、導電体４６、及び、これらを内部に収容する筐体４０等、を備えている。図示例の分電盤４は、一例として、住宅用の分電盤であり、宅内の壁面等の造営面に取り付けられるが、住宅用の分電盤に限定されない。分電盤４は、オフィスビル、商業施設、ホテル、病院、工場、及び学校等の、非住宅用の分電盤であってもよい。以下では、住宅、非住宅の両方を含めて、単に「施設」と呼ぶこともある。
【００２３】
主幹ブレーカ４１は、接続線４３、電流制限器４４、及び電源線４５を介して系統電源に電気的に接続されている。具体的には、主幹ブレーカ４１の一次側端子に、接続線４３が接続されている。本実施形態では、系統電源からの電力供給方式が単相三線方式であって、接続線４３及び電源線４５の各々は、中性線（Ｎ相）、第１電圧線（Ｌ１相）、第２電圧線（Ｌ２相）の３線で構成されている。
【００２４】
電流制限器４４は、例えば、電力会社（系統電源の供給者）と分電盤４が設置されている施設の需要家との、最大使用電流値の料金契約用として使用される装置である。電流制限器４４は、需要家が契約電流値を超えて電気を使用すると、自動的に電気を切る。なお、接続線４３及び電流制限器４４はオプションであって省略可能であり、主幹ブレーカ４１に電源線４５が直接接続されてもよい。
【００２５】
主幹ブレーカ４１の二次側端子には、導電体４６が電気的に接続されている。導電体４６は、３極の第１導電バー（Ｌ１相）４６１、第２導電バー（Ｌ２相）４６２及び第３導電バー（Ｎ相）４６３によって構成されている。各導電バーは、帯状に形成された金属板からなる。そして、第１導電バー４６１、第２導電バー４６２及び第３導電バー４６３は、上述した第１電圧線、第２電圧線及び中性線にそれぞれ電気的に接続されている。
【００２６】
分電盤４は、導電体４６からの交流電力を、複数の分岐ブレーカ４２を介して、複数の電路（すなわち複数の分岐回路Ｌ１）に分配する。具体的には、複数の分岐ブレーカ４２の一次側端子は、導電体４６に接続され、複数の分岐ブレーカ４２の二次側端子は、複数の分岐回路Ｌ１に接続されている。各分岐回路Ｌ１には、例えば照明器具や給湯設備等の機器、コンセント（アウトレット）や壁スイッチ等の配線器具が負荷として１つ以上接続される。
【００２７】
１９個の分岐ブレーカ４２は、導電体４６を間に挟んで上下２段に分かれていて、各段の分岐ブレーカ４２は、左右方向に沿って並んで配設されている。以下では、上段側の９個の分岐ブレーカ４２を、第１分岐ブレーカ４２１と呼び、下段側の１０個の分岐ブレーカ４２を、第２分岐ブレーカ４２２と呼ぶこともある。また、第１分岐ブレーカ４２１の二次側端子に接続されている分岐回路Ｌ１を、第１分岐回路Ｌ１１と呼び、第２分岐ブレーカ４２２の二次側端子に接続されている分岐回路Ｌ１を、第２分岐回路Ｌ１２と呼ぶこともある。９個の第１分岐ブレーカ４２１のうち一番右の第１分岐ブレーカ４２１０は、例えば、不図示の電源ケーブルを介して、計測ユニット１の電源端子部に接続されている。計測ユニット１は、分岐ブレーカ４２１０を介して系統電源から電力を受け取り、受け取った電力を用いて動作する。
【００２８】
各分岐回路Ｌ１は、例えば、２本の電線（第１電線Ｗ１及び第２電線Ｗ２）を有している。上段側の第１分岐回路Ｌ１１において、第１電線Ｗ１と第２電線Ｗ２とは、第１分岐ブレーカ４２１を介して、第３導電バー（Ｎ相）４６３と第１導電バー（Ｌ１相）４６１とにそれぞれ電気的に接続されている。電流センサ８は、第１導電バー（Ｌ１相）４６１に通じる第２電線Ｗ２に設置される。下段側の第２分岐回路Ｌ１２において、第１電線Ｗ１と第２電線Ｗ２とは、第２分岐ブレーカ４２２を介して、第２導電バー（Ｌ２相）４６２と第３導電バー（Ｎ相）４６３とにそれぞれ電気的に接続されている。電流センサ８は、第２導電バー（Ｌ２相）４６２に通じる第１電線Ｗ１に設置される。
【００２９】
すなわち、上述した第１電圧線及び中性線間の電圧、並びに第２電圧線及び中性線間の電圧が、それぞれ、１００〔Ｖ〕（実効値）であるとすれば、各分岐回路Ｌ１には１００〔Ｖ〕が印加されることになる。
【００３０】
ところで、各分岐回路Ｌ１には、回路（電路）番号（例えば１，２，３・・・）が予め付与されている。具体的には、図１に示すように、各分岐回路Ｌ１の回路番号が、対応する分岐ブレーカ４２に付与されており、これらの回路番号は、識別情報として、計測ユニット１のメモリ等に予め記憶されている。計測ユニット１は、そのメモリ内において、例えば、回路番号１，２，３・・・を、それらの分岐回路Ｌ１に繋がっている負荷の名称（「リビングの電源コンセント」、「エアコン」、「洗濯機」・・・等）と対応付けした対応関係の情報を記憶している。
【００３１】
ここでは、図１に示すように、上段側の第１分岐ブレーカ４２１に、奇数の回路番号１，３，５・・・が左側から順に付与され、下段側の第２分岐ブレーカ４２２に、奇数の回路番号２，４，６・・・が左側から順に付与されている。図１では、回路番号を表示するシール状のラベルＲ１が、分岐ブレーカ４２に貼られている。
【００３２】
（２．３）電流センサ
各電流センサ８は、一例として、コアを用いない（コアレスの）空芯コイルからなり、貫通孔内を通過する電流に応じた出力（電気信号）を生じるロゴスキコイルである。そして、各電流センサ８は、上段側の第１分岐回路Ｌ１１の第２電線Ｗ２、又は、下段側の第２分岐回路Ｌ１２の第１電線Ｗ１に流れる電流を計測するように、分岐ブレーカ４２とそれぞれ一対一に対応して取り付けられる。
【００３３】
各電流センサ８は、図３Ａ及び３Ｂに示すように、上記コイルを内部に収容する略ドーナツ型のハウジング８０と、電線８１と、センサコネクタ８２（コネクタ部Ｃ１）と、を有している。電線８１は、上記電気信号を外部に出力するためにハウジング８０から導出されている。なお、電線８１は、図示例では１本の線として示されているが、２本の導線を有している。
【００３４】
センサコネクタ８２は、電線８１の先端に設けられた、例えばメス型のコネクタである。センサコネクタ８２には、第１ハーネスＨ１又は第２ハーネスＨ２のオス型のケーブルコネクタ２１が接続され得る。
【００３５】
ここでは、一例として、合計１６個の電流センサ８が、分電盤４に取り付けられることを想定する。具体的には、１６個の電流センサ８のうち８個の電流センサ８が、上段側（Ｌ１相側）の９個の第１分岐回路Ｌ１１のうち一番右の第１分岐ブレーカ４２１０に対応する第１分岐回路Ｌ１１を除く８個の第１分岐回路Ｌ１１に、１個ずつ取り付けられる。また、残りの８個の電流センサ８が、下段側（Ｌ２相側）の１０個の第２分岐回路Ｌ１２のうち左端から８個の第２分岐回路Ｌ１２に、１個ずつ取り付けられる。
【００３６】
そして、本実施形態の各電流センサ８は、区別要素を有している。ここでは、区別要素は、色である。センサコネクタ８２の外郭部分の一部又は全体が着色されている。図３Ａは、Ｌ１相側の第１分岐回路Ｌ１１に対応する電流センサ８を示している。これらの電流センサ８をまとめて「第１グループＧ１」と呼ぶこともある。また、図３Ｂは、Ｌ２相側の第２分岐回路Ｌ１２に対応する電流センサ８を示している。これらの電流センサ８をまとめて「第２グループＧ２」と呼ぶこともある。
【００３７】
第１グループＧ１に属する電流センサ８のセンサコネクタ８２は、例えば暖色系の色（赤紫、赤、橙、黄等）で着色されている。一方、第２グループＧ２に属する電流センサ８のセンサコネクタ８２は、例えば寒色系の色（青緑、青、青紫等）で着色されている。
【００３８】
色は、センサコネクタ８２の外郭部分が樹脂成型品であれば樹脂自体の色であってもよいし、外郭部分が後から塗装されてもよい。また、色は、センサコネクタ８２の外郭部分ではなく、ハウジング８０の側面に貼着される、製品番号等の情報が記載されているシール等において、一部の領域が着色されてもよい。あるいは、色は、電線８１の被覆部におけるセンサコネクタ８２に近い領域に着色されてもよいし、着色されたシール状のラベルが、電線８１におけるセンサコネクタ８２に近い領域に貼着されてもよい。要するに、区別要素は、付帯物であってもよい。
【００３９】
ところで、１６個の電流センサ８は、いずれも同じ種種の電流センサであり、作業者は、電流センサ８自体を互いに区別する必要はない。つまり、作業者は、どの電流センサ８を、どの分岐回路Ｌ１に取り付けてもよい。したがって、電流センサ８が、区別要素を有していることは必須ではない。ただし、電流センサ８は、例えば第１ハーネスＨ１をＬ１相側の第１分岐回路Ｌ１１に対応した電流センサ８に接続する際に目印となるため、区別要素を有していることが望ましい。
【００４０】
電流センサ８を例えば上段側の第１分岐回路Ｌ１１に取り付ける際には、作業者は、ねじなし端子等によって分岐ブレーカ４２の二次側端子に取り付けられている第２電線Ｗ２を一度外してから、第２電線Ｗ２を、ハウジング８０の貫通孔８０１内に通す。その後、再び、第２電線Ｗ２を、分岐ブレーカ４２のねじなし端子に差し込む。それから、センサコネクタ８２を、ケーブルコネクタ２１に繋ぐことになる。
【００４１】
（２．４）計測ユニット
計測ユニット１は、２本のハーネスＨ１、Ｈ２を介して、複数の電流センサ８で計測された電流の計測結果を電気信号として取得するように構成されている。計測ユニット１は、図２に示すように、上下方向に長尺で、かつ矩形箱型の収容ボックス１Ａ内に収容された状態で、分電盤４の右横に並んで宅内の壁面等に取り付けられる。
【００４２】
計測ユニット１は、第１ハーネスＨ１を介して、Ｌ１相側の複数の第１分岐回路Ｌ１１にそれぞれ対応する複数の電流センサ８と、電気的に接続される。また、計測ユニット１は、第２ハーネスＨ２を介して、Ｌ２相側の複数の第２分岐回路Ｌ１２にそれぞれ対応する複数の電流センサ８と、電気的に接続される。
【００４３】
計測ユニット１は、その筐体の前面において、第１ハーネスＨ１とコネクタ接続される第１ユニットコネクタ１１（コネクタ部Ｃ１）を有している（図２参照）。第１ユニットコネクタ１１は、Ｌ１相側の分岐用入力端子部である。
【００４４】
また、計測ユニット１は、その筐体の前面において、第２ハーネスＨ２とコネクタ接続さる第２ユニットコネクタ１２（コネクタ部Ｃ１）を有している（図２参照）。第２ユニットコネクタ１２は、Ｌ２相側の分岐用入力端子部である。第２ユニットコネクタ１２は、第１ユニットコネクタ１１の真下に並んで配置されている。第１ユニットコネクタ１１及び第２ユニットコネクタ１２は、互いに同じ種類のコネクタであり、例えばメス型のコネクタである。
【００４５】
計測ユニット１は、図１に示すように、計測部１３、操作部１４、通信部１５、及び電源部１６等を有している。
【００４６】
計測部１３は、例えばＣＰＵ（Central Processing Unit）及びメモリを主構成とするマイクロコンピュータにて構成されている。言い換えれば、計測部１３は、ＣＰＵ及びメモリを有するコンピュータにて実現されており、ＣＰＵがメモリに格納されているプログラムを実行することにより、コンピュータが計測部１３として機能する。プログラムは、ここではメモリに予め記録されているが、インターネット等の電気通信回線を通じて、又はメモリカード等の記録媒体に記録されて提供されてもよい。
【００４７】
計測部１３は、各電流センサ８から取得した電気信号（計測値）の演算処理を行う。計測部１３は、演算処理において、各電流センサ８から取得した電気信号に基づいて、その電流センサ８に対応する分岐回路Ｌ１（電路）の計測点を流れる電流（例えば、電流波形、実効値等）を、求める。なお、計測部１３は、消費電力（瞬間値）、及び消費電力量等を演算する機能も有してもよい。例えば、計測部１３は、電流センサ８から取得した電流値と、電圧センサ（不図示）から取得した各電路の電圧値と、を用いて、各電路を通過する消費電力を求めてもよい。
【００４８】
計測ユニット１は、主幹用入力端子部として第３ユニットコネクタ（不図示）を、更に有している。第３ユニットコネクタは、分電盤４の主幹回路の計測点を流れる主幹電流を計測する主幹電流センサに、信号ケーブルを介して、電気的に接続可能である。計測ユニット１は、第３ユニットコネクタと電気的に接続された主幹電流センサから電気信号を取得し、計測部１３は、その電気信号に基づいて、電流（例えば、電流波形、実効値等）を、求める。計測部１３は、主幹電流センサから取得した電流値と、電圧センサ（不図示）から取得した主幹回路の電圧値と、を用いて、主幹回路を通過する電力を求めてもよい。
【００４９】
操作部１４は、計測ユニット１の筐体の前面に設けられて、ユーザ等からの操作入力（外部入力）を受け付け可能に構成されている。操作部１４は、ユーザの操作指示を検知する液晶のタッチパネルで構成されもよいし、ボタン式スイッチ等で構成されてもよい。
【００５０】
通信部１５は、例えば無線通信機能を有し、外部の装置との間で無線により通信可能に構成されている。通信部１５は、計測部１３で求めた電流等の情報を、その外部の装置に送信する。通信部１５は、メモリ内に記憶される回路番号と負荷名称との対応関係を参照して、電流等の情報と合わせて負荷名称の情報も送信することが好ましい。通信部１５は、有線により、外部の装置との間で通信可能であってもよい。
【００５１】
電源部１６は、外部の電源（系統電源等）から得られる電力から計測部１３、操作部１４及び通信部１５の動作電力を生成して、計測部１３、操作部１４及び通信部１５に供給する。計測ユニット１は、電源端子部として第４ユニットコネクタ（不図示）を、更に有し、電源部１６は、第４ユニットコネクタと分岐ブレーカ４２１０とを接続する電源ケーブルを介して、分電盤４から外部の電源（系統電源等）を得る。
【００５２】
ところで、収容ボックス１Ａ内の底には、図２に示すように、前後方向に貫通する導出口１Ｂが設けられている。また、導出口１Ｂと対向する壁面の領域に貫通孔が設けられている。第１及び第２ハーネスＨ１、Ｈ２は、導出口１Ｂと当該貫通孔とを介して、壁裏側に配線される。また、分電盤４の筐体４０内の底において、右端近傍の上下部に、それぞれ前後方向に貫通したケーブル配線用の孔部４００が設けられている。一対の孔部４００と対向する壁面の領域にも貫通孔が設けられている。壁裏側を通る第１ハーネスＨ１は、壁面の貫通孔と上部の孔部４００とを介して分電盤４内に導入される。壁裏側を通る第２ハーネスＨ２は、壁面の貫通孔と下部の孔部４００とを介して分電盤４内に導入される。
【００５３】
計測ユニット１は、区別要素を有している。区別要素は、色である。具体的には、第１ユニットコネクタ１１の外郭部分の一部又は全体が着色されている。同様に、第２ユニットコネクタ１２の外郭部分の一部又は全体が着色されている。
【００５４】
第１ユニットコネクタ１１は、Ｌ１相側の第１分岐回路Ｌ１１に対応した第１グループＧ１に属する電流センサ８の電気信号を取得するための端子部である。したがって、第１ユニットコネクタ１１の色は、第１グループＧ１に属する電流センサ８のセンサコネクタ８２と同系色で、暖色系の色である。ここでは、第１ユニットコネクタ１１の色は、一例として、赤色である。
【００５５】
一方、第２ユニットコネクタ１２は、Ｌ２相側の第２分岐回路Ｌ１２に対応した第２グループＧ２に属する電流センサ８の電気信号を取得するための端子部である。したがって、第２ユニットコネクタ１２の色は、第２グループＧ２に属する電流センサ８のセンサコネクタ８２と同系色で、寒色系の色である。ここでは、第２ユニットコネクタ１２の色は、一例として、青色である。
【００５６】
色は、第１及び第２ユニットコネクタ１１、１２の外郭部分が樹脂成型品であれば樹脂自体の色であってもよいし、外郭部分が後から塗装されてもよい。また、色は、第１及び第２ユニットコネクタ１１、１２の外郭部分ではなく、その周辺領域、すなわち計測ユニット１の筐体の前面において各ユニットコネクタを囲むように枠状に着色されてもよい。また、色が各ユニットコネクタ又は計測ユニット１の筐体に直接着色されるのではなく、着色されたシール状のラベルが、第１及び第２ユニットコネクタ１１、１２の外郭部分、又はその周辺領域に貼着されてもよい。要するに、区別要素は、付帯物であってもよい。
【００５７】
（２．５）ハーネス
第１ハーネスＨ１は、信号ケーブル２に相当し、Ｌ１相側の第１グループＧ１に属する８個の電流センサ８と計測ユニット１との間における信号接続を行う。第１ハーネスＨ１は、複数の信号線Ｓ１が束ねられて構成される（図１参照）。
【００５８】
第２ハーネスＨ２は、信号ケーブル３に相当し、Ｌ２相側の第２グループＧ２に属する８個の電流センサ８と計測ユニット１との間における信号接続を行う。第２ハーネスＨ２は、複数の信号線Ｓ２が束ねられて構成される（図１参照）。
【００５９】
第１及び第２ハーネスＨ１、Ｈ２は、区別要素を有している。ただし、区別要素を除けば、これらのハーネスは、互いに同じ構造を有している。したがって、以下では、区別要素以外の構造について、第１ハーネスＨ１のみを用いて説明し、第２ハーネスＨ２については適宜に説明を省略する場合もある。
【００６０】
第１ハーネスＨ１は、複数の信号線Ｓ１が難燃性の材料で形成された絶縁チューブ２０等で束ねられることで構成されている（図１参照）。各信号線Ｓ１は、導線が電気絶縁性の被覆部で被覆されて構成されている。
【００６１】
第１ハーネスＨ１は、計測ユニット１から電流センサ８までの間において、コネクタ接続により結線される、接続点（接続箇所）Ｐ１を複数有している。ここでは、複数の接続点Ｐ１は、１つの第１接続点Ｐ１１と、複数の第２接続点Ｐ１２とを含む（図１参照）。
【００６２】
第１ハーネスＨ１は、その一端側の第１接続点Ｐ１１で、計測ユニット１の側とコネクタ接続により結線される。つまり、第１ハーネスＨ１は、図１に示すように、第１接続点Ｐ１１において、計測ユニット１の第１ユニットコネクタ１１に接続可能なケーブルコネクタ２１を、有している。以下、第１ユニットコネクタ１１に接続されるケーブルコネクタ２１を、単に「第１コネクタ２１１」と呼ぶこともある。第１コネクタ２１１は、例えばオス型のコネクタである。第１コネクタ２１１は、複数の信号線Ｓ１の導線がそれぞれ電気的に接続されている芯を有した、多芯コネクタである。
【００６３】
第１ハーネスＨ１は、その他端側の複数の第２接続点Ｐ１２で、Ｌ１相側の第１グループＧ１に属する８個の電流センサ８と、一対一でコネクタ接続により結線される。つまり、第１ハーネスＨ１は、図１に示すように、複数の第２接続点Ｐ１２において、各電流センサ８のセンサコネクタ８２に接続可能なケーブルコネクタ２１を、複数有している。以下、センサコネクタ８２に接続されるケーブルコネクタ２１を、単に「第２コネクタ２１２」と呼ぶこともある。第２コネクタ２１２は、例えばオス型のコネクタである。第２コネクタ２１２は、各信号線Ｓ１における先端部に取り付けられている。
【００６４】
ところで、第１ハーネスＨ１は、図２に示すように、一例として、メインハーネスＨ１１と中継ハーネスＨ１２とから構成されている。メインハーネスＨ１１と中継ハーネスＨ１２とは、互いにコネクタ接続されている。すなわち、複数の接続点Ｐ１は、１つの第３接続点Ｐ１３を、更に含む（図２参照）。図示例では、計測ユニット１が、分電盤４の外部に配置されていて、計測ユニット１及び電流センサ８間の距離が比較的長いため、中継ハーネスＨ１２が設けられている。複数の第２接続点Ｐ１２は、メインハーネスＨ１１側にあり、第１接続点Ｐ１１は、中継ハーネスＨ１２側にある。なお、図２以外の図（例えば図１）では、第３接続点Ｐ１３を省略して、第１ハーネスＨ１を１本の長いハーネスとして図示する。
【００６５】
計測ユニット１が、分電盤４の外部に配置されることは必須ではなく、分電盤４の内部に設置されてもよい。計測ユニット１が分電盤４の内部に設置される場合、第１ハーネスＨ１は、１本のメインハーネスＨ１１のみから構成されてもよい。この場合、第３接続点Ｐ１３は存在せず、第１接続点Ｐ１１と複数の第２接続点Ｐ１２とが、メインハーネスＨ１１にある。要するに、中継ハーネスＨ１２は、第１ハーネスＨ１にとって必須の構成要素ではない。
【００６６】
次に、本実施形態の第１及び第２ハーネスＨ１、Ｈ２が有している区別要素について説明する。これらのハーネスの区別要素も色である。第１ハーネスＨ１は、接続点Ｐ１（第１〜第３接続点Ｐ１１〜Ｐ１３）の側において、第２ハーネスＨ２と色で区別可能に構成されている。
【００６７】
具体的には、第１ハーネスＨ１は、Ｌ１相に対応した第１グループＧ１に属する電流センサ８の電気信号を、計測ユニット１の第１ユニットコネクタ１１に送る。したがって、第１ハーネスＨ１の第１コネクタ２１１は、接続相手である第１ユニットコネクタ１１の色に合わせて、同色の赤色に着色されている。なお、第１ハーネスＨ１の第１コネクタ２１１は、第１ユニットコネクタ１１の色と同色でなくてもよく、同系色でもよい（例えば一方が赤色で他方が橙色等）。第１ハーネスＨ１の複数の第２コネクタ２１２は、第１ユニットコネクタ１１の色と同系色、すなわち暖色系の色で、着色されている。なお、第１ハーネスＨ１において、第１コネクタ２１１の色は、複数の第２コネクタ２１２の色の中で一致する色があってもよい。
【００６８】
一方、第２ハーネスＨ２は、Ｌ２相に対応した第２グループＧ２に属する電流センサ８の電気信号を、計測ユニット１の第２ユニットコネクタ１２に送る。したがって、第２ハーネスＨ２の第１コネクタ２１１は、接続相手である第２ユニットコネクタ１２の色に合わせて、同色の青色に着色されている。なお、第２ハーネスＨ２の第１コネクタ２１１は、第２ユニットコネクタ１２の色と同色でなくてもよく、同系色でもよい（例えば一方が青色で他方が水色等）。第２ハーネスＨ２の複数の第２コネクタ２１２は、第２ユニットコネクタ１２の色と同系色、すなわち寒色系の色で、着色されている。なお、第２ハーネスＨ２において、第１コネクタ２１１の色は、複数の第２コネクタ２１２の色の中で一致する色があってもよい。
【００６９】
また本実施形態では、複数の第２接続点Ｐ１２の全てが、色で互いに区別可能である。ここでは、複数の第２接続点Ｐ１２は、互いに異なる色により区別可能であり、かつ、第１接続点Ｐ１１と同系色である。
【００７０】
具体的には、第１ハーネスＨ１の複数の第２コネクタ２１２は、暖色系の色の中で色の濃淡を段階的に変えて着色されている。ここでは、図１のグラデーションを示す矢印Ａ１から理解できるように、上段側の第１分岐ブレーカ４２１には、回路番号１，３，５・・・の順に、暖色系の色の中で、段階的に濃色から淡色に変えて着色されたシール状のラベルＲ２が貼着されている。これに合わせて、第１グループＧ１に属する８個の電流センサ８のセンサコネクタ８２も、暖色系の色の中で、段階的に濃色から淡色に変えて着色されている。そして、第１ハーネスＨ１の複数の第２コネクタ２１２も、暖色系の色の中で、段階的に濃色から淡色に変えて着色されている。
【００７１】
一方、第２ハーネスＨ２の複数の第２コネクタ２１２は、寒色系の色の中で色の濃淡を段階的に変えて着色されている。ここでは、図１のグラデーションを示す矢印Ａ２から理解できるように、下段側の第２分岐ブレーカ４２２には、回路番号２，４，６・・・の順に、寒色系の色の中で、段階的に濃色から淡色に変えて着色されたラベルＲ２が貼着されている。これに合わせて、第２グループＧ２に属する８個の電流センサ８のセンサコネクタ８２も、寒色系の色の中で、段階的に濃色から淡色に変えて着色されている。そして、第２ハーネスＨ２の複数の第２コネクタ２１２も、寒色系の色の中で、段階的に濃色から淡色に変えて着色されている。
【００７２】
また、第３接続点Ｐ１３、すなわちメインハーネスＨ１１と中継ハーネスＨ１２とがコネクタ接続される互いのコネクタ部分も、色で区別可能である。例えば、第１ハーネスＨ１における互いの当該コネクタ部分は、赤色で着色され、第２ハーネスＨ２における互いの当該コネクタ部分は、青色で着色される。
【００７３】
色は、第１コネクタ２１１及び各第２コネクタ２１２の外郭部分が樹脂成型品であれば樹脂自体の色であってもよいし、外郭部分が後から塗装されてもよい。また、色は、第１コネクタ２１１及び各第２コネクタ２１２の外郭部分が直接着色されるのではなく、着色されたラベルが、対応するコネクタ近傍における信号線Ｓ１、Ｓ２等に貼着されてもよいし、絶縁チューブ２０が着色されてもよい。ここでは、図１、図３Ａ及び図３Ｂに示すように、各第２コネクタ２１２の外郭部分が着色されることに加えて、第２コネクタ２１２近傍における信号線Ｓ１、Ｓ２に、第２コネクタ２１２の色と同じに着色されたシール状のラベルＲ３が、貼着されている。要するに、第１及び第２ハーネスＨ１、Ｈ２の区別要素は、付帯物であってもよい。
【００７４】
（２．６）ハーネスの接続作業
以下、第１及び第２ハーネスＨ１、Ｈ２をそれぞれ計測ユニット１及び複数の電流センサ８にコネクタ接続する接続作業の作業手順について説明する。ただし、以下の作業手順は、単なる一例であり、特に限定されない。また、第１及び第２ハーネスＨ１、Ｈ２の各々におけるメインハーネスＨ１１と中継ハーネスＨ１２とは、予め接続された状態にあることを想定する。
【００７５】
接続作業を行う作業者は、まず、第１ハーネスＨ１を、第１コネクタ２１１側の端部から分電盤４の上部の孔部４００に通して壁裏側に配し、更に、第１コネクタ２１１側の端部を、収容ボックス１Ａ内の底にある導出口１Ｂから導出する。同様に、作業者は、第２ハーネスＨ２を、第１コネクタ２１１側の端部から分電盤４の下部の孔部４００に通して壁裏側に配し、更に、第１コネクタ２１１側の端部を、収容ボックス１Ａ内の底にある導出口１Ｂから導出する。
【００７６】
続いて、作業者は、第１ハーネスＨ１の赤色で着色された第１コネクタ２１１を、計測ユニット１の同じく赤色で着色された第１ユニットコネクタ１１に差し込む。また、作業者は、第２ハーネスＨ２の青色で着色された第１コネクタ２１１を、計測ユニット１の同じく青色で着色された第２ユニットコネクタ１２に差し込む。作業者は、例えばハーネスに貼着されたラベル等に印字されている文字（例えば「Ｌ１相側」等の表記）を見て識別して接続する場合に比べて、より簡単な視認により、つまり直感的に接続相手を識別できる。すなわち、Ｌ１相側に相当する第１ハーネスＨ１の第１コネクタ２１１を、誤ってＬ２相側に相当する第２ユニットコネクタ１２に差し込むという誤配線の発生を抑制できる。また、Ｌ２相側に相当する第２ハーネスＨ２の第１コネクタ２１１を、誤ってＬ１相側に相当する第１ユニットコネクタ１１に差し込むという誤配線の発生を抑制できる。
【００７７】
次に、作業者は、暖色系で着色された第１グループＧ１に属する電流センサ８を選ぶ。そして、作業者は、上段側の第１分岐ブレーカ４２１の暖色系で着色されたラベルＲ２の色を確かめて、手に持っている電流センサ８のセンサコネクタ８２と同色のラベルＲ２が付いている第１分岐ブレーカ４２１を探す。同色の第１分岐ブレーカ４２１が見つかると、その第１分岐ブレーカ４２１に対応した第１分岐回路Ｌ１１の第２電線Ｗ２に、電流センサ８を取り付ける。作業者は、この作業を、例えば一番左端の第１分岐ブレーカ４２１から右方に順に行うことが望ましい。同様の作業を、寒色系で着色された第２グループＧ２に属する電流センサ８についても行う。
【００７８】
作業者は、例えば、暖色系の中で最も濃い色のセンサコネクタ８２の電流センサ８が、暖色系の中で最も濃い色のラベルＲ２が付けられた上段一番左の第１分岐ブレーカ４２１に対応する第１分岐回路Ｌ１１に取り付けるべきであることが直感的に理解できる。
【００７９】
そして、作業者は、第１ハーネスＨ１の暖色系で着色された複数の第２コネクタ２１２を手で持つ。作業者は、例えば一番左端の電流センサ８のセンサコネクタ８２及び第１分岐ブレーカ４２１のラベルＲ２と同色（暖色系の中で最も濃い色）の第２コネクタ２１２を探す。同色の第２コネクタ２１２が見つかると、その第２コネクタ２１２を、センサコネクタ８２に差し込む。これを、一番左端の電流センサ８から右方へ順次行う。
【００８０】
第１ハーネスＨ１の複数の第２コネクタ２１２の接続が完了すると、同様の作業を、第２ハーネスＨ２の寒色系で着色された複数の第２コネクタ２１２についても行う。これにより、第１及び第２ハーネスＨ１、Ｈ２の接続作業が完了する。
【００８１】
作業者は、例えば、暖色系の中で最も濃い色の第２コネクタ２１２が、暖色系の中で最も濃い色のセンサコネクタ８２に、接続すべきであることが直感的に理解できる。
【００８２】
特に、例えば計測ユニット１の施工時において、分電盤４及び計測ユニット１間のハーネスの接続作業は、一般的に、薄暗く狭い環境下で行われる場合が多い。作業者にとって、そのような作業環境下において姿勢の悪い状態で、第１ハーネスＨ１や第２ハーネスＨ２の各接続点Ｐ１において適切な接続相手を識別することは、骨の折れる作業であり、誤配線が発生する可能性がある。しかし、本実施形態のように区別要素が設けられていることで、接続相手を容易に識別することができ、接続作業の作業性が優れている。また、接続作業が完了した後に、電力計測システム１００及び分電盤４全体を見渡した時に、誤配線の有無を、色で、一目で見つけることができる。その結果、誤配線の発生の抑制を図ることができる。
【００８３】
（３）変形例
以下に、いくつかの変形例について列記する。以下では上述した実施形態を「基本例」と呼ぶ。以下に説明する変形例の各々は、上述した基本例や他の変形例と適宜組み合わせて適用可能である。
【００８４】
（３．１）変形例１
基本例では、信号ケーブル２、３が、それぞれ第１及び第２ハーネスＨ１、Ｈ２である。つまり、基本例では、２本の第１及び第２ハーネスＨ１、Ｈ２を用いて、合計１６個の複数の電流センサ８を、計測ユニット１の２個のコネクタ部Ｃ１（第１及び第２ユニットコネクタ１１、１２）に電気的に接続する、いわば多対二の接続関係である。しかし、信号ケーブル２は、ハーネスに限定されず、多対多の接続関係であってもよい。
【００８５】
図４は、変形例１の電力計測システム１００Ａを示す。本変形例の電力計測システム１００Ａは、計測ユニット１と、８個の電流センサ８（図４では３個のみ）と、１本の信号ケーブル２と、７本の別の信号ケーブル３（図４では２本のみ）とを備える。
【００８６】
計測ユニット１は、例えば、８個のコネクタ部Ｃ１（上から順にＣ１１、Ｃ１２・・・Ｃ１８）を有している（図４では３個のみ図示）。計測ユニット１は、色の区別要素を有している。ここでは、８個のコネクタ部Ｃ１が、互いに異なる色（例えば、上から順に赤、青、黄、緑・・・紫等）で着色されている。
【００８７】
信号ケーブル２は、１本の信号線Ｓ１と、第１接続点Ｐ１１において１個の第１コネクタ２１１と、第２接続点Ｐ１２において１個の第２コネクタ２１２と、を有している。７本の別の信号ケーブル３の各々は、１本の信号線Ｓ２と、第１接続点Ｐ１１において１個の第１コネクタ２１１と、第２接続点Ｐ１２において１個の第２コネクタ２１２と、を有している。
【００８８】
信号ケーブル２及び７本の信号ケーブル３は、色の区別要素を有している。ただし、信号ケーブル２及び７本の信号ケーブル３は、区別要素を除けば、全て互いに同じ構成を有したケーブルであり、互いの数は特に限定されない。
【００８９】
信号ケーブル２の第１コネクタ２１１、第２コネクタ２１２及びラベルＲ３の色は、計測ユニット１の一番上のコネクタ部Ｃ１１の色に合わせて、赤である。７本の信号ケーブル３の第１コネクタ２１１、第２コネクタ２１２及びラベルＲ３の色は、計測ユニット１の二番目以降のコネクタ部Ｃ１２・・・Ｃ１８の色に合わせて、青、黄、緑・・・紫である。
【００９０】
８個の電流センサ８も、色の区別要素を有している。８個の電流センサ８のセンサコネクタ８２の色は、計測ユニット１の８個のコネクタ部Ｃ１の色に合わせて、上から順に赤、青、黄、緑・・・紫である。
【００９１】
本変形例においても、区別要素が設けられていることで、作業者は、合計８本の信号ケーブルの接続相手を容易に識別することができ、接続作業の作業性が優れている。また、接続作業が完了した後に、電力計測システム１００Ａ及び分電盤４全体を見渡した時に、誤配線の有無を、色で、一目で見つけることができる。その結果、誤配線の発生の抑制を図ることができる。
【００９２】
（３．２）変形例２
基本例では、区別要素が色のみである。しかし、区別要素は、色だけに限定されない。区別要素は、色に加えて、又は色の代わりに、長さを含んでもよい。
【００９３】
図５は、変形例２の電力計測システム１００Ｂを示す。なお、本変形例の電力計測システム１００Ｂにおける複数の電流センサ８及び計測ユニット１は、基本例と共通のため、図５では図示を省略している。本変形例の区別要素は、基本例の「色」に加えて「長さ」を含んでいる。
【００９４】
本変形例の電力計測システム１００Ｂの第１ハーネスＨ１において、複数の第２接続点Ｐ１２は、図５に示すように、色だけでなく長さでも、互いに区別可能である。つまり、複数の信号線Ｓ１は、互いに異なる長さを有している。複数の第１分岐回路Ｌ１１（電路）に付与された回路番号１，３，５・・・（図１参照）に応じて長さを変えている。ここでは、複数の信号線Ｓ１は、回路番号１，３，５・・・の昇順に長さが順次短くなるように構成されている。つまり、回路番号１に相当する信号線Ｓ１が最も長い。複数の信号線Ｓ１は、回路番号１，３，５・・・の昇順に長さが順次長くなるように構成されてもよい。
【００９５】
同様に、第２ハーネスＨ２においても、複数の信号線Ｓ２は、図５に示すように、互いに異なる長さを有している。複数の信号線Ｓ２は、複数の第２分岐回路Ｌ１２（電路）に付与された回路番号２，４，６・・・（図１参照）に応じて長さを変えている。ここでは、複数の信号線Ｓ２は、回路番号２，４，５・・・の昇順に長さが順次短くなるように構成されている。つまり、回路番号２に相当する信号線Ｓ２が最も長い。複数の信号線Ｓ２は、回路番号２，４，６・・・の昇順に長さが順次長くなるように構成されてもよい。
【００９６】
なお、例えば、最も短い信号線Ｓ１の先にある第２コネクタ２１２が、回路番号１（図１参照：一番左）の第１分岐回路Ｌ１１に接続されることが適切でない場合、距離的に届かないように、信号線Ｓ１等の寸法関係が調整されていてもよい。
【００９７】
本変形例では、作業者は、「色」だけでなく「長さ」という情報で、更に直感的に各信号線Ｓ１（又はＳ２）の接続相手となる分岐回路Ｌ１を識別できる。特に、回路番号に応じて長さを順次変えているため、作業者は、どの回路番号の電流センサ８に接続するべきか、容易に識別できる。
【００９８】
ところで、基本例及び本変形例では、計測ユニット１が、分電盤４の右横に設置されている。そのため、回路番号１に設置される電流センサ８に接続される信号線Ｓ１が最も長い寸法を有している。しかし、仮に、計測ユニット１が、分電盤４の左横に設置されていれば、回路番号１に設置される電流センサ８に接続される信号線Ｓ１が最も短い寸法を有していることが好ましい。
【００９９】
また、基本例では、信号ケーブル２が第１ハーネスＨ１に相当することを想定して説明した。しかし、本変形例で、例えば信号ケーブル２が第１ハーネスＨ１における複数の信号線Ｓ１のうちの１本に相当し、他の信号線Ｓ１の全てが信号ケーブル３に相当すると想定すると、信号ケーブル２は、別の信号ケーブル３と長さで区別可能であると言える。要するに、本変形例は、変形例１に適用されてもよい。
【０１００】
（３．３）変形例３
区別要素は、色や長さに加えて、又は色や長さの代わりに、模様を含んでもよい。
【０１０１】
図６は、変形例３の電力計測システム１００Ｃの第１ハーネスＨ１（信号ケーブル２）の一部の信号線Ｓ１及び第２コネクタ２１２のみを示す。
【０１０２】
本変形例では、複数の第２接続点Ｐ１２は、模様で、互いに区別可能である。つまり、各第２コネクタ２１２には、互いに異なる模様が付与されている。各第２コネクタ２１２の模様は、プリント印刷、塗装、シールの貼着等により形成されている。ここでは、模様は、一例として、線状の模様であり、１本線、２本線、３本線・・・といように線の本数を順次変えている。また本変形例では、第２コネクタ２１２近傍における信号線Ｓ１に貼着されているラベルＲ３にも、模様が付与されている。模様は、作業者が容易に区別可能であるものが望ましい。
【０１０３】
本変形例では、作業者は、「模様」という情報で、直感的に各信号線Ｓ１（又はＳ２）の接続相手となる分岐回路Ｌ１を識別できる。本変形例は、変形例１に適用されてもよい。また、模様は、第１接続点Ｐ１１の側に適用されてもよい。
【０１０４】
（３．４）変形例４
基本例の電力計測システム１００では、Ｌ１相側に対応する箇所が暖色系に、Ｌ２相側に対応する箇所が寒色系に、それぞれ着色されているが、Ｌ１相側に対応する箇所が寒色系に、Ｌ２相側に対応する箇所が暖色系に、それぞれ着色されてもよい。
【０１０５】
また基本例では、同系色（暖色系、寒色系）を括る基準が、Ｌ１相かＬ２相である。しかし、別の基準で、同系色を括ってもよい。例えば、上段左半分の４個の第１分岐回路Ｌ１１を第１区画、上段右半分の４個の第１分岐回路Ｌ１１を第２区画、下段左半分の４個の第２分岐回路Ｌ１２を第３区画、下段右半分の４個の第２分岐回路Ｌ１２を第４区画とし、各区画で同系色を括ってもよい。例えば、第１区画を暖色系、第２区画を（緑を含む）中性色系、第３区画を寒色系、第４区画を（紫を含む）中性色系で着色されてもよい。
【０１０６】
また基本例では、第１ハーネスＨ１及び第２ハーネスＨ２の各々の下位側の箇所（第２コネクタ２１２等）が、互いに区別できるように同系色の中で濃淡に色分けされているが、全て同色のみであってもよい。例えば、第１ハーネスＨ１の複数の第２コネクタ２１２が全て赤色で、第２ハーネスＨ２の複数の第２コネクタ２１２が全て青色で統一されてもよい。
【０１０７】
（３．５）変形例５
基本例では、分電盤４側の区別要素として、上段側（Ｌ１相側）の複数の第１分岐ブレーカ４２１に、暖色系が段階的に濃色から淡色に変えて着色されたラベルＲ２が貼着されている。また、下段側（Ｌ２相側）の複数の第２分岐ブレーカ４２２にも、寒色系が段階的に濃色から淡色に変えて着色されたラベルＲ２が貼着されている。しかし、分電盤４内における区別要素の配置場所は、分岐ブレーカ４２に限定されない。
【０１０８】
例えば、ラベルＲ２は、図７に示すように、分電盤４の筐体４０の底４０１における、分岐ブレーカ４２の周辺領域に貼着されてもよい。この場合、暖色系のラベルＲ２は、第１分岐ブレーカ４２１の真上の領域に、寒色系のラベルＲ２は、第２分岐ブレーカ４２２の真下の領域に、貼着されることが好ましい。
【０１０９】
（４）利点
以上説明したように、第１の態様に係る信号ケーブル（２）は、複数のセンサ（電流センサ８）のうち少なくとも１つのセンサと、計測ユニット（１）との間における信号接続を行う。複数のセンサ（電流センサ８）は、分電盤（４）内の複数の電路（分岐回路Ｌ１）を通過する電気に関する物理量に応じた信号をそれぞれ出力する。計測ユニット（１）は、当該信号に基づいて物理量を計測する。信号ケーブル（２）は、計測ユニット（１）からセンサ（電流センサ８）までの間において、コネクタ接続により結線される、少なくとも１つの接続点（Ｐ１）を有する。信号ケーブル（２）は、接続点（Ｐ１）の側において、複数のセンサのうち少なくとも１つの別のセンサと計測ユニット（１）との間における信号接続を行う別の信号ケーブル（３）に対して、色、模様、及び長さのうち少なくとも１つで区別可能に構成されている。第１の態様によれば、電流センサ８と計測ユニット１との間における信号接続を行う信号ケーブル２（又は信号ケーブル３）を接続する作業時において、誤配線の発生の抑制を図ることができる。
【０１１０】
第２の態様に係る信号ケーブル（２）は、第１の態様において、接続点（Ｐ１）において、計測ユニット（１）の側、又はセンサ（電流センサ８）の側にあるコネクタ部（Ｃ１）と接続可能なケーブルコネクタ（２１）を有することが好ましい。また、ケーブルコネクタ（２１）は、コネクタ部（Ｃ１）に対して、同色又は同系色により接続相手として識別可能であることが好ましい。第２の態様によれば、作業者は、例えばラベル等に印字されている文字情報を見て識別する場合に比べて、より直感的にケーブルコネクタ（２１）の接続相手を識別することができる。
【０１１１】
第３の態様に係る信号ケーブル（２）に関して、第１の態様又は第２の態様において、接続点（Ｐ１）は、複数あることが好ましい。複数の接続点（Ｐ１）のうち少なくとも２つ接続点（Ｐ１）は、色、模様、及び長さのうち少なくとも１つで、互いに区別可能であることが好ましい。第３の態様によれば、信号ケーブル（２）に複数の接続点（Ｐ１）がある場合に、少なくとも２つ接続点（Ｐ１）に関しては、誤配線の発生の抑制を図ることができる。
【０１１２】
第４の態様に係る信号ケーブル（２）に関して、第３の態様において、複数の接続点（Ｐ１）の全てが、色、模様、及び長さのうち少なくとも１つで、互いに区別可能であることが好ましい。第４の態様によれば、信号ケーブル（２）に複数の接続点（Ｐ１）がある場合に、全ての接続点（Ｐ１）に関して、誤配線の発生の抑制を図ることができる。
【０１１３】
第５の態様に係る信号ケーブル（２）は、第４の態様において、複数のセンサ（電流センサ８）のうち２つ以上のセンサと、計測ユニット（１）との間における信号接続を行うケーブルハーネス（第１ハーネスＨ１）であることが好ましい。信号ケーブル（２）は、１つの第１接続点（Ｐ１１）と、複数の接続点（Ｐ１）としての複数の第２接続点（Ｐ１２）とを有することが好ましい。第１接続点（Ｐ１１）では、計測ユニット（１）の側とコネクタ接続により結線されることが好ましい。複数の第２接続点（Ｐ１２）では、上記２つ以上のセンサ（電流センサ８）の側と一対一でコネクタ接続により結線されることが好ましい。複数の第２接続点（Ｐ１２）は、互いに異なる色により区別可能であり、かつ、第１接続点（Ｐ１１）と同系色であることが好ましい。第５の態様によれば、信号ケーブル（２）がケーブルハーネス（第１ハーネスＨ１）であり、かつ、接続相手として２つ以上のセンサ（電流センサ８）が存在する場合であっても、誤配線の発生の抑制を図ることができる。
【０１１４】
第６の態様に係る信号ケーブル（２）は、第１〜第５の態様のいずれか１つにおいて、複数の信号線（Ｓ１）が束ねられたケーブルハーネス（第１ハーネスＨ１）であることが好ましい。信号ケーブル（２）は、複数のセンサ（電流センサ８）のうち２つ以上のセンサと、計測ユニット（１）との間における信号接続を行うことが好ましい。複数の信号線（Ｓ１）は、互いに異なる長さを有し、かつ、複数の電路（分岐回路Ｌ１）のうち２つ以上のセンサ（電流センサ８）にそれぞれ対応する２つ以上の電路に付与された番号に応じて長さを変えていることが好ましい。第６の態様によれば、作業者は、複数の電路（複数の回路）に対して、各信号線（Ｓ１）の「長さ」という情報だけで、より直感的に各信号線（Ｓ１）の接続相手となる電路を識別することができる。
【０１１５】
第７の態様に係る信号ケーブル（２）に関して、第６の態様において、複数の信号線（Ｓ１）は、上記番号の昇順に長さが順次長くなる、又は短くなることが好ましい。第７の態様によれば、各信号線（Ｓ１）の接続相手となる電路を更に容易に識別することができる。
【０１１６】
第８の態様に係る信号ケーブル（２）に関して、第１〜第７の態様のいずれか１つにおいて、計測ユニット（１）は、分電盤（４）の外部に設置されていることが好ましい。第８の態様によれば、分電盤（４）内のセンサ（電流センサ８）と、分電盤（４）外の計測ユニット（１）との間における信号接続を行う信号ケーブル２（又は信号ケーブル３）を接続する作業時において、誤配線の発生の抑制を図ることができる。
【０１１７】
第９の態様に係る信号ケーブル（２）は、第１〜第８の態様のいずれか１つにおいて、第１ハーネス（Ｈ１）であることが好ましい。信号ケーブル（２）は、複数のセンサ（電流センサ８）のうち第１グループ（Ｇ１）を構成する２つ以上のセンサと、計測ユニット（１）との間における信号接続を行うことが好ましい。上記別の信号ケーブル（３）は、第２ハーネス（Ｈ２）であることが好ましい。上記別の信号ケーブル（３）は、複数のセンサ（電流センサ８）のうち第１グループ（Ｇ１）とは別の第２グループ（Ｇ２）を構成する２つ以上のセンサと、計測ユニット（１）との間における信号接続を行うことが好ましい。第１グループ（Ｇ１）に属するセンサは、複数の電路（分岐回路Ｌ１）のうち、第１相（Ｌ１相）及び第２相（Ｌ２相）のうちの一方に対応する電路を通過する電気に関する物理量に応じた信号をそれぞれ出力することが好ましい。第２グループ（Ｇ２）に属するセンサは、複数の電路（分岐回路Ｌ１）のうち、第１相（Ｌ１相）及び第２相（Ｌ２相）のうちの他方に対応する電路を通過する電気に関する物理量に応じた信号をそれぞれ出力することが好ましい。第９の態様によれば、作業者が、例えば、第１相（Ｌ１相）に対応する第１ハーネス（Ｈ１）を、第２相（Ｌ２相）に対応する第２ハーネス（Ｈ２）がコネクタ接続されるべき接続相手に、誤って接続してしまうことを抑制することができる。
【０１１８】
第１０の態様に係る電力計測システム（１００、１００Ａ、１００Ｂ、１００Ｃ）は、第１〜第９の態様のいずれか１つの信号ケーブル（２）と、上記別の信号ケーブル（３）と、複数のセンサ（電流センサ８）と、計測ユニット（１）と、を備える。第１０の態様によれば、誤配線の発生の抑制を図ることができる電力計測システム（１００、１００Ａ、１００Ｂ、１００Ｃ）を提供できる。
【符号の説明】
【０１１９】
１００、１００Ａ、１００Ｂ、１００Ｃ  電力計測システム
１  計測ユニット
２  信号ケーブル
２１  ケーブルコネクタ
３  別の信号ケーブル
４  分電盤
８  電流センサ（センサ）
Ｌ１  分岐回路（電路）
Ｃ１  コネクタ部
Ｇ１  第１グループ
Ｇ２  第２グループ
Ｈ１  第１ハーネス（ケーブルハーネス）
Ｈ２  第２ハーネス
Ｐ１  接続点
Ｐ１１  第１接続点
Ｐ１２  第２接続点
Ｓ１  信号線
【図１】
2019161869.tif 000003
【図２】
2019161869.tif 000004
【図３】
2019161869.tif 000005
【図４】
2019161869.tif 000006
【図５】
2019161869.tif 000007
【図６】
2019161869.tif 000008
【図７】
2019161869.tif 000009